(57)【特許請求の範囲】
【請求項１】
建物に設けられた昇降路を昇降するかごを有するエレベータ装置であって、
前記かご内に設けられるかご操作部と、
前記建物の異常を監視する警備装置から異常検知信号を受信した場合に、前記エレベータ装置の運転モードを通常運転モードから防犯運転モードへ切り替える運転モード切替部と、
前記防犯運転モードにおいて、前記建物の利用者がいない階にて乗客が前記かごに乗り込んだか否かを前記警備装置の出力信号に基づいて判断し、前記利用者がいない階にて乗客が前記かごに乗り込んだと判断した場合に前記かご操作部の操作による戸開動作を無効にして前記かごに前記乗客を閉じ込めるかご戸制御部と、
を備え、
前記警備装置の動作モードとして、少なくとも、前記建物に設置された防犯センサから検知信号が入力されても異常を通報しない警備解除モードと、前記建物に設置された防犯センサから検知信号が入力されると異常を通報する警備セットモードのいずれかが設定され、
前記かご戸制御部は、前記警備解除モードが設定された階を前記利用者の所在階であると判断するとともに、前記警備セットモードが設定された階を前記利用者がいない階であると判断することを特徴とするエレベータ装置。
【請求項２】
建物に設けられた昇降路を昇降するかごを有するエレベータ装置であって、
前記かご内に設けられるかご操作部と、
前記建物の異常を監視する警備装置から異常検知信号を受信した場合に、前記エレベータ装置の運転モードを通常運転モードから防犯運転モードへ切り替える運転モード切替部と、
前記防犯運転モードにおいて、前記建物の利用者がいない階にて乗客が前記かごに乗り込んだか否かを前記警備装置の出力信号に基づいて判断し、前記利用者がいない階にて乗客が前記かごに乗り込んだと判断した場合に前記かご操作部の操作による戸開動作を無効にして前記かごに前記乗客を閉じ込めるかご戸制御部と、
を備え、
前記警備装置の動作モードとして、前記建物のいずれかの階に設置された防犯センサから検知信号が入力されても異常を通報せず、かつ前記建物の前記いずれかの階以外の階に設置された防犯センサから検知信号が入力されると異常を通報するモードが設定可能であり、
前記かご戸制御部は、前記動作モードの設定状態を示す前記警備装置の出力信号に基づいて前記利用者の所在階を判断することを特徴とするエレベータ装置。
【請求項３】
建物に設けられた昇降路を昇降するかごを有するエレベータ装置であって、
前記かご内に設けられるかご操作部と、
前記建物の異常を監視する警備装置から異常検知信号を受信した場合に、前記エレベータ装置の運転モードを通常運転モードから防犯運転モードへ切り替える運転モード切替部と、
前記防犯運転モードにおいて、前記建物の利用者がいない階にて乗客が前記かごに乗り込んだか否かを前記警備装置の出力信号に基づいて判断し、前記利用者がいない階にて乗客が前記かごに乗り込んだと判断した場合に前記かご操作部の操作による戸開動作を無効にして前記かごに前記乗客を閉じ込めるかご戸制御部と、
を備え、
前記警備装置の動作モードとして、前記建物内部に設けられた第１防犯センサから検知信号が入力されても異常を通報せず、かつ前記建物の外周又は前記建物の開閉部に設置された第２防犯センサから検知信号が入力されると異常を通報するモードが設定可能であり、
前記かご戸制御部は、前記第１防犯センサの検知結果を示す前記警備装置の出力信号に基づいて前記利用者の所在階を判断することを特徴とするエレベータ装置。
【請求項４】
前記かご戸又は乗り場の乗場戸の少なくとも一方の下部に設けられ、前記防犯運転モードにおいて前記かご戸又は前記乗場戸の前記少なくとも一方が開くことを防止する施錠装置を備えることを特徴とする請求項１〜３のいずれか一項に記載のエレベータ装置。
【請求項５】
建物に設けられた昇降路を昇降するかごを有するエレベータ装置の制御方法であって、
前記建物の異常を監視する警備装置の動作モードとして、少なくとも、前記建物に設置された防犯センサから検知信号が入力されても異常を通報しない警備解除モードと、前記建物に設置された防犯センサから検知信号が入力されると異常を通報する警備セットモードのいずれかが設定され、
前記警備装置から異常検知信号を受信した場合に、前記エレベータ装置の運転モードを通常運転モードから防犯運転モードへ切り替え、
前記警備解除モードが設定された階を前記建物の利用者の所在階であると判断するとともに、前記警備セットモードが設定された階を前記利用者がいない階であると判断し、
前記防犯運転モードにおいて、前記利用者がいない階にて乗客が前記かごに乗り込んだか否かを前記警備装置の出力信号に基づいて判断し、
前記利用者がいない階にて乗客が前記かごに乗り込んだ場合に、前記かご内に設けられるかご操作部の操作による戸開動作を無効にして前記かごに前記乗客を閉じ込める、
ことを特徴とするエレベータ装置の制御方法。
【発明の詳細な説明】
【技術分野】
【０００１】
本発明は、エレベータ装置及びその制御方法に関する。
【背景技術】
【０００２】
特許文献１には、建物に侵入した侵入者をエレベータ内に閉じ込める技術が開示されている。
【先行技術文献】
【特許文献】
【０００３】
【特許文献１】特開２００９−２６３０１６号公報
【発明の概要】
【発明が解決しようとする課題】
【０００４】
正当な建物の利用者をエレベータ内に閉じ込めると利用者に不快感を与えるので、たとえ短期間であっても侵入者と間違って利用者を閉じ込めることは好ましくない。
本発明は、エレベータを用いて建物に侵入した侵入者を捕獲するとともに、正当な建物の利用者を誤ってエレベータ内に閉じ込めないようにすることを目的とする。
【課題を解決するための手段】
【０００５】
本発明の一形態によれば建物に設けられた昇降路を昇降するかごを有するエレベータ装置が与えられる。エレベータ装置は、かご内に設けられるかご操作部と、建物の異常を監視する警備装置から異常検知信号を受信した場合に、エレベータ装置の運転モードを通常運転モードから防犯運転モードへ切り替える運転モード切替部と、防犯運転モードにおいて、建物の利用者がいない階にて乗客がかごに乗り込んだか否かを警備装置の出力信号に基づいて判断し、利用者がいない階にて乗客がかごに乗り込んだと判断した場合にかご操作部の操作による戸開動作を無効にしてかごに乗客を閉じ込めるかご戸制御部を備える。
【０００６】
警備装置の動作モードとして、少なくとも、建物に設置された防犯センサから検知信号が入力されても異常を通報しない警備解除モードと、建物に設置された防犯センサから検知信号が入力されると異常を通報する警備セットモードのいずれかを設定してよい。かご戸制御部は、動作モードの設定状態を示す警備装置の出力信号に基づいて利用者が建物に所在するか否かを判断してよい。
警備装置の動作モードとして、建物のいずれかの階に設置された防犯センサから検知信号が入力されても異常を通報せず、かつその他の階に設置された防犯センサから検知信号が入力されると異常を通報するモードが設定可能であってよい。かご戸制御部は、動作モードの設定状態を示す警備装置の出力信号に基づいて利用者の所在階を判断してよい。
【０００７】
警備装置の動作モードとして、建物内部に設けられた第１防犯センサから検知信号が入力されても異常を通報せず、かつ建物の外周又は建物の開閉部に設置された第２防犯センサから検知信号が入力されると異常を通報するモードが設定可能であってよい。かご戸制御部は、第１防犯センサの検知結果を示す警備装置の出力信号に基づいて利用者の所在階を判断してよい。
運転モードが防犯運転モードへ切り替わった時に、利用者の所在階にてかご戸が開いたままの状態でかごを待機させる待機制御部を備えてもよい。
【０００８】
防犯運転モードにおいてかご戸を閉じる第１速度が、通常運転モードにおいてかご戸を閉じる第２速度よりも早くてもよい。
かご戸制御部は、防犯運転モードにおいてかご戸を閉じる際に、閉じる途中のかご戸を反転して開く反転装置を無効にしてもよい。
エレベータ装置は、かご戸又は乗り場の乗場戸の少なくとも一方の下部に設けられ、防犯運転モードにおいてかご戸又は乗場戸の少なくとも一方が開くことを防止する施錠装置を備えてもよい。
【０００９】
本発明の他の形態によれば、建物に設けられた昇降路を昇降するかごを有するエレベータ装置の制御方法が与えられる。この制御方法では、建物の異常を監視する警備装置から異常検知信号を受信した場合に、エレベータ装置の運転モードを通常運転モードから防犯運転モードへ切り替え、防犯運転モードにおいて、建物の利用者がいない階にて乗客がかごに乗り込んだか否かを警備装置の出力信号に基づいて判断し、利用者がいない階にて乗客がかごに乗り込んだ場合に、かご内に設けられるかご操作部の操作による戸開動作を無効にしてかごに乗客を閉じ込める。
【発明の効果】
【００１０】
本発明によれば、エレベータを用いて建物に侵入した侵入者を捕獲するとともに、正当な建物の利用者を誤ってエレベータ内に閉じ込めるのを防止できる。
【図面の簡単な説明】
【００１１】
【図１】実施形態のエレベータ装置を備える警備システムの全体を示す概略構成図である。
【図２】実施形態の警備装置の構成例を示す図である。
【図３】実施形態のエレベータ装置の制御構成例を示すブロック図である。
【図４】第１実施形態のエレベータ装置の動作例を示すフローチャートである。
【図５】所在判断処理の第１例のフローチャートである。
【図６】所在判断処理の第２例のフローチャートである。
【図７】所在判断処理の第３例のフローチャートである。
【図８】乗場戸の構成例の説明図である。
【図９】乗場戸の施錠装置の設置例の説明図である。
【図１０】第２実施形態のエレベータ装置の動作例を示すフローチャートである。
【発明を実施するための形態】
【００１２】
以下、本発明の実施形態を図面に基づいて説明する。本発明の実施形態のエレベータ装置は、警備システムにより監視された建物に設置され、警備システムが建物への侵入者を検知した場合に侵入者の捕獲に利用されるエレベータ装置である。本発明の実施形態のエレベータ装置は、例えば家庭用のホームエレベータであってもよく、集団住宅や、店舗や事業所等に設置される一般乗用エレベータであってもよい。本発明の実施形態のエレベータ装置は、建物の複数階の間で乗客を運ぶ様々な種類のエレベータに適用可能である。
【００１３】
（第１実施形態）
（警備システムの全体構成）
図１を参照する。警備システム１は、監視対象である監視区域２に建てられた建物３の内部に設置され各階の異常をそれぞれ検知する複数の内部センサ４ａと、建物３の窓やドアなどの開閉部６に設けられる開閉部センサ４ｂと、建物３の外周の異常を検知する外周センサ４ｃを備える。また、警備システム１は、内部センサ４ａ、開閉部センサ４ｂ及び外周センサ４ｃにそれぞれ接続される警備装置５と、監視センタ７に設置され通信回線ＮＴを通じて警備装置５に接続されるセンタ装置８を備える。
図１は、建物３が３階建ての場合を示すが、建物３の階数は３階に限定されるものではなく２階以上であればよい。すなわち、２階でもよく４階以上でもよい。
【００１４】
内部センサ４ａとしては、例えば、室内の移動体を検知するセンサなどが含まれる。また、外周センサ４ｃとしては、例えば、建物３の外周の移動体を検知するセンサなどが含まれる。内部センサ４ａ及び外周センサ４ｃは、例えば受光した赤外線の光量変化に基づいて探知範囲の侵入者９等の有無を検知する赤外線センサであってよい。また、内部センサ４ａ及び外周センサ４ｃは、例えば撮像画像と予め記憶された正常時の画像との差分に基づいて撮像範囲の侵入者９等の有無を検知する画像センサであってもよい。
【００１５】
また、開閉部センサ４ｂとしては、例えば、開閉部６が開いたことや破損又は破壊されたことを検知するセンサなどが含まれる。開閉部センサ４ｂは、例えば開閉部の開閉を検知するマグネットセンサであってよい。
以下、内部センサ４ａ、開閉部センサ４ｂ及び外周センサ４ｃを総称して「防犯センサ４」と表記することがある。
防犯センサ４は、異常を検知すると検知信号を警備装置５に送信する。防犯センサ４と警備装置５との間の通信は有線または無線で行われる。警備装置５は、防犯センサ４からの検知信号により監視区域２に発生した異常、例えば建物３への侵入者９の侵入を検知する。
【００１６】
建物３には、複数階の間で乗客を運ぶエレベータ装置１０が設置されている。エレベータ装置１０は、昇降路を昇降可能なかご１１を備える。かご１１内部には、エレベータの操作するためのかご操作部１２が設けられる。かご操作部１２は、例えばかご１１の行き先階を登録する行先階ボタンや、かご１１のかご戸１８を閉じるための戸閉ボタン、かご戸１８を開くための戸開ボタンを含んでよい。
【００１７】
建物３の１階、２階及び３階の乗り場１３ａ、１３ｂ及び１３ｃには、それぞれ乗場操作部１４ａ、１４ｂ及び１４ｃが設けられる。乗場操作部１４ａ〜１４ｃは、エレベータ装置１０のかご１１をそれぞれ１階〜３階へ呼ぶための呼びボタンを含んでよい。また、乗り場１３ａ〜１３ｃには、乗り場１３ａ〜１３ｃの出入口をそれぞれ開閉する乗場戸１９ａ、１９ｂ及び１９ｃが設けられる。乗場戸１９ａ〜１９ｃは、かご１１がそれぞれ１階〜３階の着床位置にあるときに、かご戸１８に連動して開閉する。
以下、乗り場１３ａ〜１３ｃを総称して「乗り場１３」と表記することがあり、乗場操作部１４ａ〜１４ｃを総称して「乗場操作部１４」と表記することがあり、乗場戸１９ａ〜１９ｃを総称して「乗場戸１９」と表記することがある。
【００１８】
エレベータ装置１０は、かご１１を昇降駆動する昇降駆動手段巻上機１６と、かご操作部１２及び乗場操作部１４の操作に応じて、昇降駆動手段１６及び制動手段の作動を制御する制御ボックス１７とを備えている。
制御ボックス１７は、ＣＰＵ（Central Processing Unit）と、ＲＯＭ（Read Only Memory）およびＲＡＭ（Random Access Memory）等のＣＰＵ周辺部品とを含む電子回路であってもよい。制御ボックス１７が備えるＣＰＵは、記憶媒体に格納されたコンピュータプログラムを実行することにより、制御ボックス１７が行なうべき処理を実行する。
【００１９】
警備装置５の動作モードは、防犯センサ４から検知信号を受信すると建物３に発生した異常をセンタ装置８へ通報する警備セットモードと、検知信号を受信してもセンタ装置８へ通報しない警備解除モードの何れかに設定可能である。
また、建物３の利用者２０が建物３の中にいる場合でも建物３の一部に警備セットモードを設定してもよい。この場合には、利用者２０の所在範囲に部分的に警備解除モードを設定し、内部センサ４ａが利用者２０を検知しても異常がセンタ装置８へ通報されないようにしつつ、侵入者９の侵入が検知されると異常がセンタ装置８へ通報される。
【００２０】
例えば、何れかの階のみを警備解除モードに設定し、他の範囲を警備セットモードにしてもよい。警備解除モードが設定される階は、例えば利用者２０の所在階であってよい。このような動作モードが設定された場合、例えば警備装置５は、利用者２０が所在する何れかの階の内部センサ４ａから検知信号を受信しても異常をセンタ装置８へ通報せず、他の防犯センサ４から検知信号を受信すると異常をセンタ装置８へ通報する。
【００２１】
また、建物３の内部のみを警備解除モードに設定し、建物３の外周及び開閉部６を警備セットモードにしてもよい。このような動作モードが設定された場合、例えば警備装置５は、内部センサ４ａから検知信号を受信しても異常をセンタ装置８へ通報せず、開閉部センサ４ｂ及び外周センサ４ｃから検知信号を受信すると異常をセンタ装置８へ通報する。警備装置５は、建物３に発生した異常をセンタ装置８へ通報する際に、制御ボックス１７にも異常検知信号を出力する。
【００２２】
異常検知信号を受信した制御ボックス１７は、エレベータ装置１０の運転モードを、かご操作部１２の操作によるかご戸１８の戸開動作が可能な通常運転モードから、かご１１を利用して侵入者９を捕獲する防犯運転モードへ切り替える。
防犯運転モードにおいて制御ボックス１７は、建物３の利用者２０がいない階にて乗客がかご１１に乗り込んだか否かを警備装置５の出力信号に基づいて判断する。
【００２３】
例えば、制御ボックス１７は、警備装置５が警備解除モードであるか警備セットモードであるかに応じて利用者２０がいない階にて乗客が乗り込んだか否かを判断してもよい。例えば、警備装置５が警備セットモードである場合には利用者２０は建物３内に所在しておらず、利用者２０がいない階にて乗客が乗り込んだと判断してよい。
例えば、何れかの階のみを警備解除モードに設定し他の範囲を警備セットモードにした場合には、制御ボックス１７は、警備解除モードが設定された階を利用者２０の所在階と判断し、利用者２０がいない階にて乗客が乗り込んだか否かを判断してよい。
【００２４】
また、建物３の内部のみを警備解除モードに設定し、建物３の外周及び開閉部６を警備セットモードにした場合には、制御ボックス１７は、内部センサ４ａが利用者２０を検知する階を利用者２０の所在階と判断してもよい。例えば制御ボックス１７は、開閉部センサ４ｂ及び外周センサ４ｃが異常を検知するより前に内部センサ４ａが利用者２０を検知していた階を所在階としてもよい。
利用者２０がいない階にて乗客がかご１１に乗り込んだと判断した場合に、制御ボックス１７は、かご操作部１２の操作によるかご戸１８の戸開動作を無効にしてかご１１に乗客を閉じ込める。
【００２５】
（警備装置の機能構成）
以下、警備システム１の各部の機能構成について説明する。まず、警備装置５の機能構成を説明する。図２を参照する。警備装置５は、制御部３０と、センサインタフェース３１と、操作部３２と、表示部３３と、通信部３４と、記憶部３５を備える。
操作部３２は、警備装置５の動作モード（例えば、警備セットモードや警備解除モード）を設定するために操作されるキー入力部と、利用者の認証情報を読み取るための読取部とを備えて構成される。操作部３２は、認証情報を読み込ませて利用者を照合した上で操作入力が許容される。また、操作部３２は、表示部３３の液晶モニタにタッチパネルを設けることにより、該タッチパネルにて構成してもよい。
【００２６】
利用者の認証情報（ＩＤ（Identification）情報）を読み取る読取部としては、ＲＦＩＤ（Radio Frequency Identification）タグからの無線信号を読み取るタグリーダ、ＩＣ（Integrated Circuit）カードや磁気カードのカード情報を読み取るカードリーダ、指紋や顔画像などのバイオメトリクス情報を読み取る生体情報取得手段などが適宜に設けられてよい。この場合、記憶部３５には、入力される認証情報に対応する登録認証情報が記憶される。
【００２７】
通信部３４は、センタ装置８及び制御ボックス１７と通信するための機能を備えている。通信部３４は、警備装置５とセンタ装置８との間及び警備装置５と制御ボックス１７との間を接続するための通信インタフェースである。上述のように、警備装置５とセンタ装置８は、通信回線ＮＴとしての公衆回線網やインターネット網を介して接続される。
表示部３３は、利用者に対して操作のガイドなどを出力する機能を備えている。表示部３３は、液晶ディスプレイ、表示灯、スピーカなどにより構成することができる。表示部３３は、操作部３２の近傍に設置されるか、あるいは操作部３２と一体的に設置される。表示部３３により、操作のガイドやメニュー表示が行われる。操作のガイド等は、スピーカからの音声報知で行われてもよい。
【００２８】
センサインタフェース３１は、防犯センサ４などの周辺機器が接続されるインタフェースとしての機能を備えている。センサインタフェース３１は、警備対象において監視すべき区域となる建物の内／外の適宜な場所に配置された防犯センサ４、煙感知器や熱感知器などの火災センサ、利用者に操作される非常ボタンなどと接続される。センサインタフェース３１は、各種センサから検知信号を受信する通信インタフェースである。各種センサにはそれぞれ固有の識別番号が付与されており、検知信号にはこの識別番号（ＩＤ番号）が含まれる。
【００２９】
記憶部３５は、センサ情報（センサの識別番号など）、登録認証情報、動作モード履歴、異常履歴などの情報を記憶している。また、記憶部３５は、制御部３０を警備装置５として動作させるためのプログラム、各種センサのＩＤ番号毎にセンサの種類およびセンサの設置位置を対応付けたセンサ情報と、警備装置５を操作する利用者を認証するための登録認証情報と、動作モード履歴、異常履歴を記憶している。
【００３０】
制御部３０は、警備装置５の各種制御を行う機能を有している。制御部３０は、モード設定部３６、異常判定部３７、通報制御部３８を備えている。制御部３０は、ＣＰＵと、ＲＯＭおよびＲＡＭ等のＣＰＵ周辺部品とを含む電子回路であってもよい。制御部３０が備えるＣＰＵは、記憶媒体に格納されたコンピュータプログラムを実行することにより、制御部３０が行なうべき処理を実行する。
【００３１】
モード設定部３６は、操作部３２を操作入力する利用者が予め登録された利用者か否かを判定する。そのために、モード設定部３６は、操作部３２から取得した利用者のＩＤ情報が記憶部３５の登録認証情報に予め登録されたものと一致するか否かを調べる。一致した場合には、その利用者が正当な利用者としての操作権限（利用者権限）を有するものとして認証し、操作部３２を通じて行われる操作入力による警備装置５の動作モードの設定を受け付ける。
【００３２】
利用者の認証に失敗した場合には、モード設定部３６は動作モードの移行の不許可を利用者に通知する。例えば、表示部３３にて、利用者に対して動作モードの移行が許可されない旨のメッセージを出力する。
警備装置５の動作モードを警備解除モードから警備セットモードへと切り替える切換操作である警備セット操作が行われた場合、モード設定部３６は、防犯センサ４が異常を検知しているか否かを判断する。
【００３３】
防犯センサ４が異常を検知している場合には、モード設定部３６は、警備セットモードへの移行を許可せず、警備セットモードの移行の不許可を利用者に通知する。防犯センサ４が異常を検知していない場合には、モード設定部３６は警備装置５の動作モードを警備セットモードへと移行する。
警備装置５の動作モードを警備セットモードから警備解除モードへと切り替える切換操作である警備解除操作が行われた場合、モード設定部３６は、警備装置５の動作モードを警備解除モードへと移行する。
さらにモード設定部３６は、通信部３４を介して警備装置５の動作モードの設定状態を示すモード設定信号を制御ボックス１７へ出力する。
【００３４】
警備セットモードにおいて異常判定部３７は、センサから検知信号を受信すると、現在のモード及び記憶部３５のセンサ情報と比較して異常の有無を判定する。異常判定部３７は、警備セットモードに設定されているときに、防犯センサ４を含む各種センサの何れかから検知信号を受信すると異常と判定する。
【００３５】
なお、建物３の何れかの階のみを警備解除モードに設定し他の範囲を警備セットモードにする場合、異常判定部３７は、警備解除モードに設定された階の内部センサ４ａから検知信号を受信しても異常と判定しない。この場合、異常判定部３７は、警備解除モードに設定された階以外の階の内部センサ４ａ、開閉部センサ４ｂ及び外周センサ４ｃから検知信号を受信すると異常と判定する。
【００３６】
また、建物３の内部のみを警備解除モードに設定し、建物３の外周及び開閉部６を警備セットモードにする場合、異常判定部３７は、内部センサ４ａから検知信号を受信しても異常と判定しない。この場合、異常判定部３７は、開閉部センサ４ｂ及び外周センサ４ｃから検知信号を受信すると異常と判定する。
異常判定部３７は、通信部３４を介して、内部センサ４ａによる検知結果を示す内部センサ検知信号を制御ボックス１７へ出力する。
【００３７】
内部センサ検知信号は、検知信号を出力した内部センサ４ａを識別する情報、検知信号を出力した内部センサ４ａの設置位置、検知信号を出力した内部センサ４ａの設置階など、異常が検知された階を特定するための情報を含んでもよい。
通報制御部３８は、異常判定部３７が異常と判定するとかかる異常を示す通報信号を通信部３４によりセンタ装置８に送信する。通報信号は、警備装置５の識別番号、異常を検知したセンサのＩＤ番号、センサの種類及びその設置位置の情報を含んでよい。また、通報制御部３８は、異常判定部３７が異常と判定すると制御ボックス１７にも異常検知信号を出力する。
【００３８】
（エレベータ装置の機能構成）
続いて、エレベータ装置１０の機能構成を説明する。図３を参照する。かご操作部１２は、操作ボタン４０と操作部制御回路４１を備える。操作ボタン４０は、例えばかご１１の行き先階を登録する行先階ボタンや、かご１１のかご戸１８を閉じるための戸閉ボタン、かご戸１８を開くための戸開ボタンを含んでよい。
操作ボタン４０は、操作部制御回路４１に接続されている。操作部制御回路４１は、制御ボックス１７に通信ケーブルで接続されており、操作部制御回路４１と制御ボックス１７とが行う通信により、操作ボタン４０によるエレベータ装置１０に操作指示が制御ボックス１７に入力される。
【００３９】
各階の乗場操作部１４ａ〜１４ｃは、操作ボタン４２ａ〜４２ｃと、操作部制御回路４３ａ〜４３ｃとをそれぞれ備える。操作ボタン４２ａ〜４２ｃは、エレベータ装置１０のかご１１をそれぞれ１階〜３階へ呼ぶための呼びボタンを含んでよい。操作ボタン４２ａ〜４２ｃは、操作部制御回路４３ａ〜４３ｃにそれぞれ接続されている。操作部制御回路４３ａ〜４３ｃは、制御ボックス１７に内装された制御ボックス１７に通信ケーブルで接続されており、操作部制御回路４３ａ〜４３ｃと制御ボックス１７とが行う通信により、それぞれ操作ボタン４２ａ〜４２ｃによるエレベータ装置１０に操作指示が制御ボックス１７に入力される。
制御ボックス１７は、かご操作部１２及び乗場操作部１４ａ〜１４ｃから入力された情報に基づいて、昇降駆動手段１６の動作を制御してかご１１を昇降させる昇降制御処理と、戸開閉装置４９を制御してかご戸１８を開閉する戸開閉処理を実行するように構成される。
【００４０】
また、制御ボックス１７は、運転モード切替部４４と、待機制御部４５と、かご戸制御部４６と、操作無効化部４７と、反転制御部４８を備える。
制御ボックス１７は、図示しない通信部により警備装置５から異常検知信号を受信する。制御ボックス１７にて異常検知信号が受信されると、運転モード切替部４４は、エレベータ装置１０の運転モードを、通常運転モードから防犯運転モードへ切り替える。
【００４１】
また、運転モード切替部４４は、所定の解除条件が成立するとエレベータ装置１０の運転モードを、防犯運転モードから通常運転モードへ切り替える。例えば運転モード切替部４４は、警備装置５から受信したモード設定信号に基づいて警備装置５が警備解除モードに設定されたと判断した場合に、エレベータ装置１０の運転モードを通常運転モードへ切り替えてもよい。
【００４２】
また例えば運転モード切替部４４は、一定時間かご操作部１２及び乗場操作部１４ａ〜１４ｃの操作がない場合に、エレベータ装置１０の運転モードを自動的に通常運転モードへ切り替えてもよい。
また例えば運転モード切替部４４は、センタ装置８からの指示に基づいて警備装置５から出力される解除信号を受信した場合に、エレベータ装置１０の運転モードを自動的に通常運転モードへ切り替えてもよい。
【００４３】
防犯運転モードにおいてかご戸制御部４６は、利用者２０がいない階にて乗客がかご１１に乗り込んだか否かを警備装置５の出力信号に基づいて判断する。
例えば、かご戸制御部４６は、警備装置５から受信したモード設定信号に基づいて、利用者２０がいない階にて乗客がかご１１に乗り込んだか否かを判断してもよい。
例えば、かご戸制御部４６は、警備装置５が警備セットモードである場合には利用者２０は建物３内に所在しておらず、利用者２０がいない階にて乗客が乗り込んだと判断してよい。
また、何れかの階のみを警備解除モードに設定し他の範囲を警備セットモードにした場合には、かご戸制御部４６は、警備解除モードが設定された階を利用者２０の所在階と判断し、利用者２０がいない階にて乗客が乗り込んだか否かを判断してよい。
【００４４】
また例えば、かご戸制御部４６は、警備装置５から受信した内部センサ検知信号に基づいて、利用者２０がいない階にて乗客がかご１１に乗り込んだか否かを判断してもよい。
例えば、建物３の内部のみを警備解除モードに設定し、建物３の外周及び開閉部６を警備セットモードにした場合には、かご戸制御部４６は、内部センサ４ａが利用者２０を検知する階を利用者２０の所在階と判断してもよい。かご戸制御部４６は、開閉部センサ４ｂ及び外周センサ４ｃが異常を検知するより前に内部センサ４ａが利用者２０を検知していた階を所在階と判断してもよい。
【００４５】
利用者２０がいない階にて乗客がかご１１に乗り込んだと判断した場合に、かご戸制御部４６は、かご操作部１２の操作によるかご戸１８の戸開動作を無効にしてかご１１に乗客を閉じ込める。
かご１１に乗客を閉じ込める際にかご戸１８を閉じる第１速度は、通常運転モードにおいてかご戸１８を閉じる第２速度よりも早くてもよい。すなわち、かご戸制御部４６は、防犯運転モードにおいてかご戸１８を閉じてかご１１に乗客を閉じ込める際に、通常運転モードにおける第２速度よりも早い第１速度でかご戸１８を閉じてもよい。
【００４６】
防犯運転モードにおいてかご戸１８を高速で閉じることにより侵入者９をより確実に捕獲できる。なお、かご戸１８を高速で閉じると乗客がかご戸１８に挟まる虞がある。このため、かご戸制御部４６は、かご戸１８を閉じるためのボタンを乗客が押した場合にかご戸１８を第１速度で閉じてもよい。かご戸１８を閉じるためのボタンは、例えばかご操作部１２に含まれる戸閉ボタンであってもよく行先階ボタンであってもよい。
【００４７】
反転制御部４８は、かご戸１８が閉じる途中に所定の反転条件が満たされるとかご戸１８を反転して開く反転制御を行う。例えば、反転制御部４８は、閉じる途中のかご戸１８に接触する物体を検出するとかご戸１８を反転して開いてもよい。また例えば、反転制御部４８は、閉じる途中のかご戸１８の軌道上にある物体を検出するとかご戸１８を反転して開いてもよい。また例えば、かご１１が着床している階の乗場操作部１４が操作されると、かご戸１８を反転して開いてもよい。
【００４８】
かご戸制御部４６は、防犯運転モードにおいてかご戸１８を閉じてかご１１に乗客を閉じ込める際に反転制御部４８による反転制御を無効にしてもよい。反転制御を無効にすることにより、侵入者９がかご戸１８に手や足を挟んだりすることによりかご戸１８を開いてかご１１から脱出するのを防止できる。
なお、反転制御を無効にすると、乗客がかご戸１８に挟まってもかご戸１８を反転せず、乗客がかご戸１８に挟まったままになる虞がある。このため、かご戸制御部４６は、かご戸１８を閉じるためのボタンが押し続けられた場合に反転制御を無効にしてもよい。
【００４９】
待機制御部４５は、かご１１が利用者２０の所在階に着床している場合に、戸開閉装置４９を制御してかご戸１８を開き、かご戸１８が開いたままの状態でかご１１を待機させる。これにより、利用者２０が避難スペースとしてかご１１に避難する際に、戸開操作からかご戸１８が開くまでにかかる時間が生じる避難の遅れを防止できる。
操作無効化部４７は、防犯運転モードにおいて利用者２０がかご戸１８を閉じてかご１１内に避難した際に乗場操作部１４の操作を無効にする。これにより、利用者２０が避難したかご１１のかご戸１８を外部から開くことを防止する。
【００５０】
なお、内部センサ４ａは、第１防犯センサの一例である。開閉部センサ４ｂ及び外周センサ４ｃは第２防犯センサの一例である。モード設定信号は、警備装置５の動作モードの設定状態を示す警備装置５の出力信号の一例である。内部センサ検知信号は、内部センサ４ａの検知結果を示す警備装置５の出力信号の一例である。反転制御部４８は反転装置の一例である。
【００５１】
（第１実施形態のエレベータ装置の動作）
次に、第１実施形態のエレベータ装置１０の動作の一例を説明する。図４を参照する。
制御ボックス１７にて異常検知信号が受信されると、ステップＳ１において運転モード切替部４４は、エレベータ装置１０の運転モードを通常運転モードから防犯運転モードへ切り替える。
ステップＳ２においてかご戸制御部４６は、警備装置５の出力信号であるモード設定信号又は内部センサ検知信号を受信する。
【００５２】
ステップＳ３においてかご戸制御部４６は、乗客がかご１１に乗り込みかご操作部１２を操作したか否かを判断する。乗客がかご１１に乗り込んだ場合（ステップＳ３：Ｙ）に処理はステップＳ４へ進む。乗客がかご１１に乗り込んでいない場合（ステップＳ３：Ｎ）に処理はステップＳ３へ戻る。
ステップＳ４においてかご戸制御部４６は、利用者がいない階にて乗客がかご１１に乗り込んだか否かを判断する所在判断処理を行う。
【００５３】
図５は、所在判断処理の第１例のフローチャートである。ステップＳ２０においてかご戸制御部４６は、警備装置５が、建物３に設置されたいずれの防犯センサ４から検知信号を受信しても異常を通報する警備セットモードであるか否かを判断する。警備装置５が警備セットモードである場合（ステップＳ２０：Ｙ）に処理はステップＳ２１へ進む。警備装置５が警備セットモードでない場合（ステップＳ２０：Ｎ）に処理はステップＳ２２へ進む。
【００５４】
ステップＳ２１においてかご戸制御部４６は、利用者２０が建物３におらず乗客が乗り込んだ階は利用者２０がいない階であると判断する。その後、処理は図４のステップＳ５へ進む。
ステップＳ２１においてかご戸制御部４６は、利用者２０が建物３内にいると判断し、乗客が乗り込んだ階は利用者２０がいない階であると判断しない。その後、処理は図４のステップＳ５へ進む。
【００５５】
図６は、所在判断処理の第２例のフローチャートである。何れかの階のみを警備解除モードに設定し他の範囲を警備セットモードにした場合、ステップＳ３０にてかご戸制御部４６は、警備装置５の動作モードの設定状態に基づいて利用者の所在階を判断する。例えばかご戸制御部４６は、警備解除モードが設定された階を利用者２０の所在階と判断してよい。
ステップＳ３１においてかご戸制御部４６は、乗客が乗り込んだ階が利用者２０の所在階であるか否かを判断する。乗客が乗り込んだ階が利用者２０の所在階である場合（ステップＳ３１：Ｙ）に処理はステップＳ３３へ進む。
【００５６】
乗客が乗り込んだ階が利用者２０の所在階でない場合（ステップＳ３１：Ｎ）に処理はステップＳ３２へ進む。
ステップＳ３２においてかご戸制御部４６は、乗客が乗り込んだ階は利用者２０がいない階であると判断する。その後、処理は図４のステップＳ５へ進む。
ステップＳ３３においてかご戸制御部４６は、乗客が乗り込んだ階は利用者２０がいる階であると判断する。その後、処理は図４のステップＳ５へ進む。
【００５７】
図７は、所在判断処理の第３例のフローチャートである。建物３の内部のみを警備解除モードに設定し、建物３の外周及び開閉部６を警備セットモードにした場合、ステップＳ４０にてかご戸制御部４６は、内部センサ４ａの検出結果に基づいて利用者の所在階を判断する。例えばかご戸制御部４６は、内部センサ４ａが利用者２０を検知する階を利用者２０の所在階と判断してよい。
ステップＳ４１においてかご戸制御部４６は、乗客が乗り込んだ階が利用者２０の所在階であるか否かを判断する。乗客が乗り込んだ階が利用者２０の所在階である場合（ステップＳ４１：Ｙ）に処理はステップＳ４３へ進む。
【００５８】
乗客が乗り込んだ階が利用者２０の所在階でない場合（ステップＳ４１：Ｎ）に処理はステップＳ４２へ進む。
ステップＳ４２においてかご戸制御部４６は、乗客が乗り込んだ階は利用者２０がいない階であると判断する。その後、処理は図４のステップＳ５へ進む。
ステップＳ４３においてかご戸制御部４６は、乗客が乗り込んだ階は利用者２０がいる階であると判断する。その後、処理は図４のステップＳ５へ進む。
【００５９】
図４を参照する。ステップＳ５においてかご戸制御部４６は、所在判断処理Ｓ４において乗客が乗り込んだ階が利用者２０のいない階であると判断されたか否かに応じて処理を進める。乗客が乗り込んだ階が利用者２０のいない階であると判断された場合（ステップＳ５：Ｙ）に処理はステップＳ６へ進む。乗客が乗り込んだ階が利用者２０のいない階であると判断されない場合（ステップＳ５：Ｎ）に処理はステップＳ９へ進む。
【００６０】
ステップＳ６においてかご戸制御部４６は、かご操作部１２の操作を無効化することにより乗客がかご戸１８を開くことを禁止する。
ステップＳ７においてかご戸制御部４６は、反転制御部４８による反転制御を無効化する。
ステップＳ８においてかご戸制御部４６は、通常運転モードにおいてかご戸１８を閉じる第２速度よりも早い第１速度でかご戸１８を閉じる。その後に処理は終了する。
【００６１】
ステップＳ９において操作無効化部４７は、乗場操作部１４の操作を無効にする。
ステップＳ１０においてかご戸制御部４６は、反転制御部４８による反転制御を無効にする。
ステップＳ１１においてかご戸制御部４６は、かご操作部１２の操作に応じてかご戸１８を第１速度で閉じる。その後に処理は終了する。
【００６２】
（第１実施形態の効果）
（１）防犯運転モードにおいてかご戸制御部４６は、利用者２０がいない階にて乗客がかご１１に乗り込んだか否かを警備装置５の出力信号に基づいて判断する。利用者２０がいない階にて乗客がかご１１に乗り込んだと判断した場合にかご操作部１２の操作による戸開動作を無効にしてかご１１に乗客を閉じ込める。このため、かご戸制御部４６は、エレベータ装置１０を用いて侵入者９を捕獲するとともに、利用者２０を誤ってエレベータ装置１０内に閉じ込めるのを防止できる。
【００６３】
（２）警備装置５の動作モードとして、防犯センサ４から検知信号が入力されても異常を通報しない警備解除モードと、防犯センサ４から検知信号が入力されると異常を通報する警備セットモードのいずれかを設定できる。かご戸制御部４６は、動作モードの設定状態を示す警備装置５の出力信号に基づいて利用者２０が建物３に所在するか否かを判断する。これによりかご戸制御部４６は、利用者２０がいない階にて乗客がかご１１に乗り込んだか否かを判断することができる。
【００６４】
（３）警備装置５の動作モードとして、いずれかの階に設置された防犯センサ４から検知信号が入力されても異常を通報せず、かつその他の階に設置された防犯センサ４から検知信号が入力されると異常を通報するモードが設定可能である。かご戸制御部４６は、モード設定信号に基づいて利用者２０の所在階を判断する。これによりかご戸制御部４６は、利用者２０がいない階にて乗客がかご１１に乗り込んだか否かを判断できる。
【００６５】
（４）警備装置５の動作モードとして、内部センサ４ａから検知信号が入力されても異常を通報せず、開閉部センサ４ｂ又は外周センサ４ｃから検知信号が入力されると異常を通報するモードが設定可能である。かご戸制御部４６は、内部センサ検知信号に基づいて利用者２０の所在階を判断する。これによりかご戸制御部４６は、利用者２０がいない階にて乗客がかご１１に乗り込んだか否かを判断できる。
【００６６】
（５）かご戸制御部４６は、防犯運転モードにおいてかご戸１８を閉じてかご１１に乗客を閉じ込める際に、通常運転モードにおける第２速度よりも早い第１速度でかご戸１８を閉じる。これにより侵入者９をより確実に捕獲できる。
（６）かご戸制御部４６は、防犯運転モードにおいてかご戸１８を閉じてかご１１に乗客を閉じ込める際に、反転制御部４８による反転制御を無効にする。これにより侵入者９がかご戸１８に手や足を挟んだりすることによりかご戸１８を開いてかご１１から脱出するのを防止できる。
【００６７】
（変形例）
（１）防犯運転モードにおいてかご１１に侵入者９を閉じ込める際に、かご戸１８及び乗場戸１９の一方又は両方に設けられた施錠装置よりかご戸１８及び乗場戸１９の一方又は両方を施錠し、侵入者９がかご戸１８や乗場戸１９をこじ開けるのを防止してもよい。
制御ボックス１７は、防犯運転モードにおいてかご１１に侵入者９を閉じ込める際に、かご操作部１２の操作による戸開動作を無効にしてかご戸１８を閉めた後に、かご戸１８及び乗場戸１９の一方又は両方に設けられた施錠装置よりかご戸１８及び乗場戸１９の一方又は両方を施錠してもよい。
【００６８】
以下、図８及び図９を参照して乗場戸１９の施錠装置について説明する。図８は、乗場戸１９の構成の一例の説明図である。この構成例では、乗場戸１９は引き戸１９ｍ及び１９ｎを有する２枚戸片開きドアであり、２枚の引き戸１９ｍ及び１９ｎが前後に配置される。前面側の引き戸１９ｍのハンガープレート６０に２つの滑車６１を設けて、各滑車６１に掛けたワイヤ６２の一端を後面側の引き戸１９ｎのハンガープレート６０に、他端をヘッダー６３に固定したピン６４に結び付ける。また、ハンガープレート６０には、ヘッダー６３に固定したガイドレール６６ａ、６６ｂに案内されて転動する車輪６５を取り付ける。後面側の引き戸１９ｎに動力を供給してスライドさせることにより、前面側の引き戸１９ｍを後面側の引き戸１９ｎと同じ方向に半分の速度でスライドさせて、出入口の開閉を行うようにしている。なお、図示の例では乗場戸１９は引き戸１９ｍ及び１９ｎを有する２枚戸片開きドアであるが、乗場戸１９の構成はこれに限定されるものではない。
【００６９】
図９を参照する。参照符号６７は、乗場戸１９の下部に設けられ、乗場戸１９が開くことを防止する第１施錠装置を示し、参照符号６８は、乗場戸１９の上部に設けられ、乗場戸１９が開くことを防止する第２施錠装置を示す。第２施錠装置６８は、例えば後面側の引き戸１９ｎのハンガープレート６０に設けられる。
制御ボックス１７は、かご操作部１２の操作による戸開動作を無効にして乗場戸１９を閉めた後に、第１施錠装置６７及び第２施錠装置６８により乗場戸１９の下部及び上部をそれぞれ固定する。
【００７０】
図８及び図９に示す乗場戸１９は、乗場戸１９がハンガープレート６０に吊下げられる構成を有するので、乗場戸１９の下部に力を加えるとテコの原理によって乗場戸１９の上部に大きな力として伝わる。したがって第２施錠装置６８により乗場戸１９の上部のみを固定しても容易に施錠が開錠される虞がある。第２実施形態では、第１施錠装置６７によって乗場戸１９の下部も固定することによって、乗場戸１９の開錠を困難にすることができる。
ここでは、乗場戸１９の施錠装置のみを説明したが、かご戸１８にも下部及び上部をそれぞれ固定する施錠装置を設けてもよい。
【００７１】
（２）エレベータ装置１０は、かご操作部１２及び乗場操作部１４の操作を無効とするチャイルドロック機構を備えてもよい。エレベータ装置１０は、制御ボックス１７にて異常検知信号が受信されるとチャイルドロック機構を無効にするチャイルドロック無効化部を備えてもよい。異常検知信号の受信時にチャイルドロック機構を無効にすることにより、チャイルドロック機構により侵入者９の捕獲が妨害されるのを防止できる。
【００７２】
（３）エレベータ装置１０は、制御ボックス１７への電源供給を遮断する省電力機構を備えてもよい。エレベータ装置１０は、省電力機構により制御ボックス１７への電源供給が遮断されている時に異常検知信号を受信すると、制御ボックス１７への電源供給を再開させる復帰制御部を備えてもよい。異常検知信号の受信時に制御ボックス１７への電源供給を再開させることにより、省電力機構により侵入者９の捕獲が妨害されるのを防止できる。
【００７３】
（４）待機制御部４５は、警備装置５から受信した内部センサ検知信号に加えて、開閉部センサ４ｂ及び外周センサ４ｃの検知結果を示す第２センサ検知信号を制御ボックス１７へ出力してもよい。センサ検知信号は、検知信号を出力した開閉部センサ４ｂ及び外周センサ４ｃの識別情報、設置位置、設置階など、異常が発生した階を特定するための情報を含んでもよい。
待機制御部４５は、内部センサ検知信号及び第２センサ検知信号に基づいて侵入者９が侵入した階を判断し、侵入者９が侵入した階へかご１１を移動させ、かご戸１８が開いた状態でかご１１を待機させてもよい。
【００７４】
（第２実施形態）
続いて、第２実施形態について説明する。第２実施形態の警備システム１、警備装置５、エレベータ装置１０の構成は、図１、図２及び図３に示す構成と同様である。
第２実施形態のエレベータ装置１０は、運転モードが防犯運転モードへ切り替わった時に、利用者２０の所在階へかご１１を移動させてかご戸１８が開いたままの状態でかご１１を待機させる。利用者２０の所在階にかご１１を予め待機させておくことにより、侵入者９の検知時にかご１１がどの階に着床していても利用者２０はかご１１を呼び出さなくてもかご１１に避難できる。このため、かご１１の呼び出しにより生じる避難の遅れを防止できる。
【００７５】
図３を参照する。待機制御部４５は、運転モードが防犯運転モードへ切り替わった時に利用者２０の所在階を判断する。
例えば、何れかの階のみが警備解除モードに設定され他の範囲が警備セットモードに設定されている場合には、待機制御部４５は、警備装置５から受信したモード設定信号に基づいて利用者２０の所在階を判断してよい。例えば待機制御部４５は、警備解除モードに設定された階を所在階としてよい。
また、建物３の内部のみが警備解除モードに設定され、建物３の外周及び開閉部６が警備セットモードに設定された場合には、待機制御部４５は、警備装置５から受信した内部センサ検知信号に基づいて利用者２０の所在階を判断してよい。例えば待機制御部４５は、内部センサ４ａが利用者２０を検知した階を所在階としてよい。例えば待機制御部４５は、開閉部センサ４ｂ及び外周センサ４ｃが異常を検知するより前に内部センサ４ａが利用者２０を検知していた階を所在階としてよい。
【００７６】
待機制御部４５は、利用者２０の所在階へかご１１を移動させる。利用者２０の所在階にかご１１が着床すると、待機制御部４５は戸開閉装置４９を制御してかご戸１８を開く。待機制御部４５は、かご戸１８が開いたままの状態で待機させる。
かご戸制御部４６は、防犯運転モードにおいてかご操作部１２の操作に応じてかご戸１８を閉じる。かご戸制御部４６は、例えばかご操作部１２の戸閉ボタンや行先階ボタンが押されたときにかご戸１８を閉じてよい。
【００７７】
このときかご戸制御部４６は、通常運転モードにおける第２速度よりも早い第１速度でかご戸１８を閉じてもよい。かご戸１８を高速で閉じることによりかご１１への避難の完了の遅れを低減できる。かご戸制御部４６は、反転制御部４８による反転制御を無効にしてもよい。これにより、かご１１への避難の完了の遅れを低減できる。侵入者９がかご戸１８に手や足を挟んだりすることによりかご戸１８を開いてかご１１への避難を妨害するのを防止できる。
また、かご戸制御部４６は、かご戸１８を閉じるためのボタンが押し続けられた場合にかご戸１８を第１速度で閉じてもよい。かご戸１８を閉じるためのボタンが押し続けられた場合に反転制御を無効にしてもよい。これによりかご１１に避難する利用者２０がかご戸１８に挟まるのを防止できる。
【００７８】
（第２実施形態のエレベータ装置の動作）
次に、第２実施形態のエレベータ装置１０の動作の一例を説明する。図１０を参照する。ステップＳ５０及びＳ５１の動作は図４のステップＳ１及びＳ２の動作と同様である。
ステップＳ５２において待機制御部４５は、警備解除モードが部分的に設定されているか否かを判断する。すなわち、いずれかの階に設置された防犯センサ４から検知信号が入力されても異常を通報しないモードや内部センサ４ａから検知信号が入力されても異常を通報しないモードであるか、それともいずれの防犯センサ４から検知信号を受信しても異常を通報する警備セットモードであるかを判断する。
警備解除モードが部分的に設定されている場合（ステップＳ５２：Ｙ）に待機制御部４５は建物３に利用者２０がいると判断し処理はステップＳ５６へ進む。警備解除モードが部分的に設定されていない場合（ステップＳ５２：Ｎ）に処理はステップＳ５３へ進む。
【００７９】
ステップＳ５３〜Ｓ５５の動作は、図４のステップＳ６〜Ｓ８の動作と同様である。
ステップＳ５６において待機制御部４５は利用者２０の所在階を判断する。待機制御部４５は、利用者２０の所在階へかご１１を移動させる。
ステップＳ５７において待機制御部４５は、かご戸１８が開いたままの状態で待機させる。
【００８０】
ステップＳ５８において待機制御部４５は、かご操作部１２が操作されたか否かを判断する。かご操作部１２が操作された場合（ステップＳ５８：Ｙ）に処理はステップＳ５８へ進む。かご操作部１２が操作されない場合（ステップＳ５８：Ｎ）に処理はステップＳ５７へ戻る。
ステップＳ５９〜Ｓ６１の動作は、図４のステップＳ９〜Ｓ１１の動作と同様である。
【００８１】
（第２実施形態の効果）
運転モードが防犯運転モードへ切り替わった時に、待機制御部４５は、利用者２０の所在階にてかご戸１８が開いたままの状態でかご１１を待機させる。このため、利用者２０はかご１１を乗場操作部１４で呼び出す必要がなくなり、呼び出し操作後のかご１１の移動時間により生じる避難の遅れを防止できる。
【符号の説明】
【００８２】
１  警備システム、２  監視区域、３  建物、４ａ  内部センサ、４ｂ  開閉部センサ、  ４ｃ  外周センサ、５  警備装置、６  開閉部、７  監視センタ、８  センタ装置、９  侵入者、１０  エレベータ装置、１１  かご、１２  かご操作部、１３ａ〜１３ｃ  乗り場、１４ａ〜１４ｃ  乗場操作部、１６  昇降駆動手段、１７  制御ボックス、１８  かご戸、１９ａ〜１９ｃ  乗場戸、１９ｍ、１９ｎ  引き戸、２０  利用者、３０  制御部、３１  センサインタフェース、３２  操作部、３３  表示部、３４  通信部、３５  記憶部、３６  モード設定部、３７  異常判定部、３８  通報制御部、４０  操作ボタン、４１  操作部制御回路、４２ａ〜４２ｃ  操作ボタン、４３ａ〜４３ｃ  操作部制御回路、４４  運転モード切替部、４５  待機制御部、４６  かご戸制御部、４７  操作無効化部、４８  反転制御部、４９  戸開閉装置、６０  ハンガープレート、６１  滑車、６２  ワイヤ、６３  ヘッダー、６４  ピン、６５  車輪、６６ａ  、６６ｂ  ガイドレール
【図１】
0006679379.tif 000002
【図２】
0006679379.tif 000003
【図３】
0006679379.tif 000004
【図４】
0006679379.tif 000005
【図５】
0006679379.tif 000006
【図６】
0006679379.tif 000007
【図７】
0006679379.tif 000008
【図８】
0006679379.tif 000009
【図９】
0006679379.tif 000010
【図１０】
0006679379.tif 000011